(57)【特許請求の範囲】
【請求項１】
新設した基地局のサービスエリアの測定、最適化、管理等を行うサービスエリア試験システムにおいて、
シミュレーション結果に基づいて前記サービスエリアを算定し、そのサービスエリア内を移動して各種の測定及び前記基地局の最適化を行うエリア測定装置と、
前記エリア測定装置とデータ処理のための通信を行うためのデータ処理用基地局、前記新設した基地局、及びこれら基地局を制御する複数の制御局を含む移動通信システムと、
前記移動通信システムに接続されたネットワークと、
前記ネットワークに接続され、前記エリア測定装置から送られてきた測定データを解析し、その処理結果等を前記エリア測定装置へ返送するサーバを備え、
前記エリア測定装置は、前記サーバからの処理結果等に基づいて前記新設した基地局のパラメータ、アンテナチルトを遠隔制御により調整することを特徴するサービスエリア試験システム。
【請求項２】
前記エリア測定装置は、シミュレーション結果との相違が吸収されるように、前記新設した基地局のパラメータとアンテナチルトを調整することを特徴とする請求項１記載のサービスエリア試験システム。
【請求項３】
前記エリア測定装置は、全体を管理するコンピュータと、
受信電界強度、ＢＥＲ（Ｂｉｔ  Ｅｒｒｏｒ  Ｒａｔｅ）、Ｃ／Ｎ（キャリア・ノイズ比）等を測定する測定器と、
測定データ取得地点での位置情報（経度、緯度）を受信するＧＰＳ（Ｇｌｏｂａｌ  Ｐｏｓｉｔｉｏｎｉｎｇ  Ｓｙｓｔｅｍ  ）受信機と、
測定データを送信すると共に、前記地図データを前記サーバからダウンロードするデータ処理用送受信器を備えることを特徴とする請求項１記載のサービスエリア試験システム。
【請求項４】
前記サーバは、前記サービスエリアを含む地図データをストアしており、この地図データを前記エリア測定装置からの要求に応じて前記エリア測定装置に提供することを特徴とする請求項１記載のサービスエリア試験システム。
【発明の詳細な説明】
【０００１】
【発明の属する技術分野】
本発明は、サービスエリア試験システムに関し、特に、新たに基地局を設置した際、そのサービスエリア測定、最適化、管理等を効率的に行えるようにするサービスエリア試験システムに関する。
【０００２】
【従来の技術】
移動通信システムにおいては、新たに基地局を設置した場合、最適なサービスエリア及び通信品質を確保するため、従来、自動車等の移動車両にエリア測定装置を搭載し、予め予測したサービスエリア内の各地において、受信電界強度、ＢＥＲ（Ｂｉｔ  Ｅｒｒｏｒ  Ｒａｔｅ）、Ｃ／Ｎ（キャリア・ノイズ比）等をエリア測定装置で測定し、別途解析装置を用意し、エリア測定装置で測定して得られたエリア、通信品質等を解析し、シミュレーション結果と比較検討し、評価及び管理を行っている。
【０００３】
測定の初期段階では、シミュレーションに基づいた基地局パラメータ、アンテナチルトの設定に依存して測定を行っているため、殆どの場合、解析した結果が期待したサービスエリアや通信品質にはならない。そこで、移動通信システムに付属するメンテナンス装置を用いて基地局の各種パラメータ、アンテナチルト等の調整を行い、これに対してエリア測定装置で再び上記した測定を実施し、この測定結果に対してメンテナンス装置で調整を行うという手順を繰り返し行う方法がとられている。
【０００４】
【発明が解決しようとする課題】
しかし、従来のサービスエリア試験システムによると、当初期待したサービスエリア、通信品質を確保するためには、エリア測定装置による測定とメンテナンス装置による調整を繰り返し行う必要があり、非常に効率が悪く、多大な労力を強いられていた。また、従来においては、エリア測定装置側のコンピュータ（ＰＣ）に専用のソフトウエア、及び想定されるサービスエリアの地図データを予め用意しておくなど、周到な準備が必要であり、異なるサービスエリアを測定する度に異なる地図データを用意しなければならなかった。
【０００５】
本発明の目的は、新たに設置した基地局のサービスエリア測定、最適化、管理等を効率良く実施することが可能なサービスエリア試験システムを提供することにある。
【０００６】
【課題を解決するための手段】
本発明は、上記の目的を達成するため、新設した基地局のサービスエリアの測定、最適化、管理等を行うサービスエリア試験システムにおいて、シミュレーション結果に基づいて前記サービスエリアを算定し、そのサービスエリア内を移動して各種の測定及び前記基地局の最適化を行うエリア測定装置と、前記エリア測定装置とデータ処理のための通信を行うためのデータ処理用基地局、前記新設した基地局、及びこれら基地局を制御する複数の制御局を含む移動通信システムと、前記移動通信システムに接続されたネットワークと、前記ネットワークに接続され、前記エリア測定装置から送られてきた測定データを解析し、その処理結果等を前記エリア測定装置へ返送するサーバを備え、前記エリア測定装置は、前記サーバからの処理結果等に基づいて前記新設した基地局のパラメータ、アンテナチルトを遠隔制御により調整することを特徴するサービスエリア試験システムを提供する。
【０００７】
この構成によれば、エリア測定装置は、新設した基地局のサービスエリアにおいて測定を実施し、その測定データを移動通信システムへ送信する。この移動通信システムに接続されたネットワークにはサーバが接続されており、このサーバに取り込まれたエリア測定装置による測定データは、サーバによって解析される。その解析結果はエリア測定装置に返送される。エリア測定装置では解析結果に基づいて移動通信システムを遠隔制御し、新設した基地局のパラメータ、アンテナチルト等の調整を実施する。したがって、新たに設置した基地局のサービスエリア測定、最適化、管理等を効率良く行うことが可能になる。
【０００８】
【発明の実施の形態】
以下、本発明の実施の形態について図面を基に説明する。
図１は、本発明のサービスエリア試験システムを示す。
本発明のサービスエリア試験システムは、エリア測定装置１００、移動通信システム２００、ネットワーク３００、及び地図・データ処理サーバ４００を備えて構成されている。エリア測定装置１００は、移動通信システム２００と無線により通信することができる。移動通信システム２００はネットワーク３００に接続され、このネットワーク３００には地図・データ処理サーバ４００が接続されている。地図・データ処理サーバ４００は、エリア走行地点周辺の地図データをストアするほか、エリア測定装置１００で測定したデータの解析を行い、その処理結果等をエリア測定装置１００側に送信する機能を備えている。このように、地図データ処理サーバ４００で測定データの解析処理を行うことで、エリア測定装置１００の所有台数が増えた場合、全てのエリア測定装置１００の処理を集中管理できるようになると共に、エリア測定装置１００毎に解析プログラムを搭載する必要が無くなり、記憶装置の記憶容量の低減が図れるほか、エリア測定装置１００における処理時間を短縮することができる。また、エリア測定装置１００の価格低減が可能になる。
【０００９】
エリア測定装置１００は、ノート型ＰＣ（パーソナルコンピュータ）１０１、カバレッジ測定器１０２、ＧＰＳ受信機１０３、及びデータ処理用送受信器１０４を備えて構成されている。１０５、１０６、及び１０７はアンテナである。カバレッジ測定器１０２は、受信電界強度、ＢＥＲ、Ｃ／Ｎ等を測定し、測定データを得るために用いられる。ＧＰＳ受信機１０３は、測定データを取得した地点の位置情報（経度、緯度）を受信する。データ処理用送受信器１０４は、シミュレーション結果から予想したサービスエリアの地図データを、地図データ・処理サーバ４００からダウンロードし、測定地点の地形情報や道路情報を得るのに用いる。このように、地図データを地図データ処理サーバ４００に保有させることで、エリア測定装置１００で準備する必要がなく、エリア測定装置１００の所有台数が増えても、システムの設備費を少なくできる。
【００１０】
移動通信システム２００は、制御局２０１，２０２、制御局２０１に接続された被測定基地局２０３，２０４、制御局２０２に接続されたデータ処理用基地局２０５を備えて構成されている。２０６，２０７，２０８はアンテナである。データ処理用基地局２０５は、被測定基地局２０３，２０４の最適化パラメータ及びアンテナチルトの調整を制御局２０１，２０２を介して実施する。
【００１１】
図２は、被測定基地局２０３，２０４のサービスエリアとデータ処理用基地局２０５のサービスエリアの関係を示す。データ処理用基地局２０５のサービスエリア５０１は、被測定基地局２０３，２０４を含む複数の被測定基地局をカバーするサービスエリア５０２を有している。
【００１２】
図１の構成において、エリア測定装置１００では、予め実施したシミュレーション結果からサービスエリアを予測する。この結果に基づいて、エリア測定装置１００は、データ処理用送受信器１０４により、データ処理用基地局２０５→制御局２０２→ネットワーク３００の経路で地図・データ処理サーバ４００をアクセスし、地図データをダウンロードする。
【００１３】
エリア測定装置１００は予想したサービスエリア（測定対象のエリア）内を移動し、その移動中においては、カバレッジ測定器１０２を介して受信電界強度、ＢＥＲ、Ｃ／Ｎ等のサービスエリア、通信品質を評価するための基礎データをリアルタイムに受信する。同時に、ＧＰＳ受信機１０３により位置情報（経度、緯度）を受信し、この情報を地図・データ処理サーバ４００からダウンロードした地図データと共にノート型ＰＣ１０１のディスプレィに表示する。予め実施したシュミレーション結果から得られたサービスエリアに対して測定し、この測定データをデータ処理用送受信器１０４によりデータ処理用基地局２０５へ順次送信し、ネットワーク３００を介して地図・データ処理サーバ４００にアップロードする。
【００１４】
想定したサービスエリアのデータが或る程度入手できた段階で、地図・データ処理サーバ４００においてＢＥＲ、呼損率等を統計的に解析し、この解析結果とシミュレーション結果を比較し、その結果をエリア測定装置１００に返送する。エリア測定装置１００では、シミュレーション結果との相違を吸収するために被測定基地局２０３，２０４のパラメータとアンテナチルトをデータ処理用送受信器１０４を用い、データ処理用基地局２０５→制御局２０２→地図・データ処理サーバ４００→制御局２０１→被測定基地局２０３，２０４のルートで接続し、調整の制御を行う。
【００１５】
以上説明したように、本発明の実施の形態によれば、エリア測定装置１００側から地図・データ処理サーバ４００をアクセスしてシミュレーションにより予想したサービスエリアの地図データを取得し、前記サービスエリアにおいて各種の測定を行い、その結果を地図・データ処理サーバ４００に送り、地図・データ処理サーバ４００で解析処理を行うようにし、この処理結果等に基づいてエリア測定装置１００では、シミュレーション結果との相違が吸収されるように、遠隔操作により被測定基地局２０３，２０４に接続し、これらのパラメータとアンテナチルトを調整する。これにより、具体的に以下のような利点が生じる。
【００１６】
（１）エリア測定、解析、及び基地局パラメータ、アンテナチルト調整は、エリア測定装置１００により一括して集中管理できるため、測定と調整の繰り返し作業が多くとも、短時間に最適なエリア及び通信品質に調整することができる。
（２）地図データの保存は、地図・データ処理サーバ４００側で行っているため、エリア測定装置１００においては、測定エリア毎に新たに地図データを用意する必要がない。
（３）データ処理用に移動通信システム２００を用いているため、エリア測定装置１００が移動中（走行中）であっても、リアルタイムに測定データの表示及び解析が行えるため、調整に要するフィードバックが早くなり、効率の良い測定が可能になる。
（４）測定データの解析が地図・データ処理サーバ４００により行えるため、従来のように、解析装置を用意する必要がない。
【００１７】
上記実施の形態においては、データ処理用に地上移動通信システム１００を用いたが、これに代えて衛星移動通信システムを用いることもできる。また、移動通信システム２００は、携帯電話、ＰＨＳ（Ｐｅｒｓｏｎａｌ  Ｈａｎｄｙｐｈｏｎｅ  Ｓｙｓｔｅｍ）、及び自動車電話の各システムを対象とすることができる。
【００１８】
【発明の効果】
以上より明らかなように、本発明のサービスエリア試験システムによれば、移動通信システム側にネットワークを接続し、このネットワークにサーバを接続し、このサーバをエリア測定装置からアクセスできる構成とし、エリア測定装置が新設基地局のサービスエリアにおいて測定した測定データをサーバに送り、このサーバにおいて測定データの解析を行い、その解析結果をエリア測定装置に返送し、この返送情報に基づいて移動通信システムを遠隔制御し、新設基地局のパラメータ、アンテナチルト等の調整を行うようにしたので、新たに設置した基地局のサービスエリア測定、最適化、管理等を効率良く行うことが可能になる。
【図面の簡単な説明】
【図１】本発明のサービスエリア試験システムを示すブロック図である。
【図２】被測定基地局のサービスエリアとデータ処理用基地局のサービスエリアの関係を示す説明図である。
【符号の説明】
１００  エリア測定装置
１０１  ノート型ＰＣ
１０２  カバレッジ測定器
１０３  ＧＰＳ受信機
１０４  データ処理用送受信器
２００  移動通信システム
２０１，２０２  制御局
２０３，２０４  被測定基地局
２０５  データ処理用基地局
３００  ネットワーク
４００  地図・データ処理サーバ
【図１】
0003573110.tif 000002
【図２】
0003573110.tif 000003